(57)【要約】【課題】交換機更改時に既設保安器モジュール或いはその半導体防護素子を交換することなく、簡単な保安器モジュールアダプタの装着作業のみにより、交換機の過電圧、過電流からの防護を行うようにすること。【解決手段】加入者側の通信回路と交換機との間に設置され、内部に過電圧、過電流の発生時に前記交換機を保護するための半導体防護素子を有する既設の保安器モジュールに取付けられる保安器モジュールアダプタであって、既設保安器モジュール３０への取付け状態において従前の防護素子３６に並列接続状態となる半導体付加防護素子１６を有し、付加防護素子１６が、更新された交換機の加入者回路の電気的特性に適合して交換機を保護可能な特性を有する防護素子であることを特徴としている。【選択図】　図２
0003099584.tif 000002
【実用新案登録請求の範囲】
【請求項１】
加入者側の通信回路と交換機との間に設置され、内部に過電圧、過電流の発生時に前記交換機を保護するための半導体防護素子を有する既設の保安器モジュールに取付けられる保安器モジュールアダプタであって、
前記既設保安器モジュールへの取付け状態において前記防護素子に並列接続状態となる半導体付加防護素子を有し、
該付加防護素子は、更新された交換機の加入者回路の電気的特性に適合して前記交換機を保護可能な特性を有する防護素子であることを特徴とする保安器モジュールアダプタ。
【請求項２】
前記付加防護素子は、
既設保安器モジュールに搭載された防護素子に対して、よりホールド電流の小さい防護素子であることを特徴とする請求項１に記載の保安器モジュールアダプタ。
【請求項３】
前記保安器モジュールの出回線接続端子に押し動作のみで接続可能な保安器側取付け部と、
前記交換機側ケーブルのコネクタに押し動作のみで接続可能な交換機側取付け部とを有することを特徴とする請求項１又は２の何れかに記載の保安器モジュールアダプタ。
【請求項４】
前記付加防護素子が搭載されたプリント配線板を有し、
前記保安器側取付け部は、前記プリント配線板の一端側に前記既設保安器モジュールの出回線接続端子として用いられる雄コネクタに嵌合する雌コネクタとして形成され、
前記保安器側取付け部は、前記プリント配線板の他端側に前記交換機側ケーブルの雌コネクタと嵌合する雄コネクタとして形成されたことを特徴とする請求項１又は３の何れかに記載の保安器モジュールアダプタ。
【考案の詳細な説明】
【０００１】
【産業上の利用分野】
本考案はＰＢＸ（構内交換機）や局内電話交換機などの通信装置が設置される場所において、交換機側と加入者側の通信回路とのインターフェイス部に施設される主配線盤に実装され、雷等による過電圧、過電流から交換機を保護するための保安器モジュールに取付ける保安器モジュールアダプタに関する。
【０００２】
【従来の技術】
従来、保安器モジュールの構成は、例えば、後述の特許文献１の図１０に記載されており、保安器サブモジュールとしての２枚のプリント配線板（１）に外線入力端子としてＵスリット端子（２）、この端子（２）に近接する位置に例えば、ＰＮＰＮ型半導体素子などで構成される過電圧、過電流防護素子（６）が搭載され、時々断防止機能を有する試験弾器ユニット（７）、交換機側への出力端子（４）、外線出力端子としてのジャンパ通線ユニット（５）等を配置して構成されている。
【０００３】
この様な保安器モジュールが交換機と外部の通信回線である加入者側の通信回路との間に設置され、そこに搭載された過電圧、過電流防護素子（６）によって、雷などによるサージ電圧やサージ電流から交換機を防護しているものである。
【０００４】
【特許文献１】
実開平３−５４３２８号
【０００５】
【考案が解決しようとする課題】
上記従来の保安器モジュールにおいて、そこに搭載される過電圧、過電流防護素子の電気的特性は、交換機における加入者回路の耐圧および給電回路の構成に適合する様に選択、設定されている。したがって、交換機が更新のために変更され、上記加入者回路の耐圧等に変化が生じている場合には、上記過電圧、過電流防護素子の電気的特性、例えば、ブレークオーバー電圧、ホールド電流、インパルス電流に対するブレークオーバー電圧（以下クランプ電圧）を変更する必要があった。
【０００６】
しかしながら、交換機の更新に際して、既設の保安器モジュールを全て取り替える作業は、費用とその労力が多大なものとなる。また、既設の保安器モジュールを取り替えずに使用する場合には、一旦、この主配線盤に実装された該保安器モジュールを取り外し、分解した後、プリント配線板上に搭載された半導体防護素子を交換して再度実装し直すことが必要となる。このため既に機器に接続されているケーブル類の取り外し、架枠からの機器の取り外し、機器の分解および素子交換、その後の再組立てなど、多大な工数がかかるという問題がある。
【０００７】
本考案は、この様な課題に鑑みてなされたものであり、その目的は、交換機が更新された場合でも保安器モジュールの取り替えや構成の変更作業に関する多大な工数を掛けることなく簡単な設置作業のみで交換機の過電圧、過電流からの防護を行うことのできる保安器モジュールアダプタを提供することにある。
【０００８】
【課題を解決するための手段】
上記目的を達成するため、請求項１に係る保安器モジュールアダプタは、
加入者側の通信回路と交換機との間に設置され、過電圧、過電流の発生時に前記交換機を保護するための半導体防護素子を内部に有する既設の保安器モジュールに取付けられる保安器モジュールアダプタであって、前記既設保安器モジュールへの取付け状態において前記防護素子に並列接続状態となる半導体付加防護素子を有し、該付加防護素子は、更新された交換機の加入者回路の電気的特性に適合して前記交換機を保護可能な特性を有する防護素子であることを特徴としている。
【０００９】
かかる構成により、既設の保安器モジュールに搭載された防護素子が変更された交換機に対して確実な防護機能を果たせないような状況になっている場合でも、既設の保安器モジュールを取り替えたり、修正したりすることなく、その既設の防護素子に並列接続された付加防護素子の機能により確実に交換機を防護することができる。
【００１０】
請求項２に係る保安器モジュールアダプタは、
前記付加防護素子が、既設保安器モジュールに搭載された防護素子に対して、よりホールド電流の小さい防護素子であることを特徴としている。
【００１１】
この構成は、請求項１の考案の１つの態様、すなわち、既設の保安器モジュールの変更、修正をすることなく、新たな交換機の過電圧、過電流からの防護を行う例であり、例えば、従前の交換機から高電圧や大電流に対して脆弱な半導体集積回路が組み込まれた交換機に変更される場合に、既設の防護素子よりもホールド電流の小さい付加防護素子が並列に接続されることによって、付加防護素子の動作感度が高くなり、そのクランプ電圧を既設の防護素子のそれよりも低く抑えることができるので、更新された交換機を過電圧や過電流からの確実に保護することが可能となる。
【００１２】
請求項３に係る保安器モジュールアダプタは、
前記保安器モジュールの出回線接続端子に押し動作のみで接続可能な保安器側取付け部と、前記交換機側ケーブルのコネクタに押し動作のみで接続可能な交換機側取付け部とを有することを特徴としている。
【００１３】
かかる構成により、保安器モジュールアダプタの取付けを簡単に行うことができる。すなわち、既設の保安器モジュールについて何らかの措置をすることなく、本考案に係る保安器モジュールアダプタを押し動作のみによって取付け、更に、保安器モジュールアダプタと交換機側ケーブルのコネクタとを押し動作によって取付けるだけで上記各請求項に記載の考案の機能を発揮させることができる。
【００１４】
請求項４に係る保安器モジュールアダプタは、
前記付加防護素子が搭載されたプリント配線板を有し、前記保安器側取付け部は、前記プリント配線板の一端側に前記既設保安器モジュールの出回線接続端子として用いられる雄コネクタに嵌合する雌コネクタとして形成され、前記保安器側取付け部は、前記プリント配線板の他端側に前記交換機側ケーブルの雌コネクタと嵌合する雄コネクタとして形成されたことを特徴としている。
【００１５】
本考案は、請求項３の考案の更に具体的構成を示したものであり、保安器モジュールアダプタの既設保安器モジュールとの接続及び交換機側との接続を簡単な作業により行うことのできる構成を提示したものである。
【００１６】
【考案の実施の形態】
以下、図面を参照して、本考案に係る保安器モジュールアダプタの実施の形態について詳細に説明する。
【００１７】
図１（ａ）〜（ｇ）は本考案に係る保安器モジュールアダプタ１０の実装図であり、図示のようにハウジング部１２内にはプリント配線板１４が設置されており、このプリント配線板１４には、過電圧、過電流に対する付加防護素子としての半導体防護素子１６が８個ずつ、表裏両面側に搭載されている。
【００１８】
この半導体防護素子１６の数は、この保安器モジュールアダプタ１０が取付けられる既設の保安器モジュールに設けられている半導体防護素子の数に対応しており、かつ各半導体防護素子１６は、更新された交換機の加入者回路の電気的特性に適合して、該交換機を保護可能な特性を有している。
【００１９】
プリント配線板１４の一端側には、既設保安器モジュールの出回線接続端子に押し動作のみで接続可能な保安器側取付け部１８、他端側には交換機側ケーブルのコネクタに押し動作のみで接続可能な交換機側取付け部２０が設けられている。
【００２０】
保安器側取付け部１８には既設保安器モジュールの出回線接続端子として用いられる雄コネクタに嵌合する雌コネクタ１８ａが設けられ、交換機側取付け部２０には交換機側ケーブルの雌コネクタと嵌合する雄コネクタ２０ａが設けられている。双方とも押し込み動作を行うだけで取付け状態、接続状体が確保される構成となっており、煩雑な取付け作業は不要である。
【００２１】
符号２２はハウジング部１２に取付けられるカバー部であり、ハウジング部１２及びカバー部２２により、雌コネクタ１６ａや雄コネクタ１８ａの固定、更に半導体防護素子１６の絶縁保護を行っている。
【００２２】
なお、符号２４は、ロック解除レバーであって、既設保安器モジュールからこの保安器モジュールアダプタ１０を取り外す際に使用するものである。
【００２３】
次に、図２は、既設保安器モジュール３０に保安器モジュールアダプタ１０を取付けた状態の回路図である。図示のように、既設保安器モジュール３０には、その加入者側に各加入者の通信機器との間で各回線の通信回路を構成するための入・出力端子３２（本実施の形態では８回線分）が設けられている（０Ａ、０Ｂ〜７Ａ、７Ｂ）。
【００２４】
既設保安器モジュール３０の交換機側には、交換機への出回線接続端子としての雄コネクタ３４が各回線ライン毎に設けられている（０１Ｂ、０１Ａ〜０８Ｂ、０８Ａ）。そして、各回線ラインの加入者側入・出力端子３２の近傍には過電圧、過電流から交換機を保護するための半導体防護素子３６がそれぞれ設けられ、共通のアースライン４０に接続されている。すなわち、交換機側の出回線接続端子３４（０１Ｂ、０１Ａ〜０８Ａ０８Ｂ）とアース端子０９Ｂ、０９Ａ間に半導体防護素子３６が接続されている。なお、図上各回線ライン毎に設けられた符号３８は、弾器検査用接続部である。
【００２５】
本考案にかかる保安器モジュールアダプタ１０は、図示のように、既設保安器モジュール３０の交換機側の接続端子に取付けられている。上述したように、押し込み動作のみにより、保安器側取付け部１８の雌コネクタ１８ａが、既設保安器モジュール３０の出回線接続端子３４である雄コネクタにそれぞれ嵌合している。
【００２６】
また、保安器モジュールアダプタ１０内の各回線ラインには上述の付加防護素子としての半導体防護素子１６がそれぞれアース端子０９Ｂ、０９Ａ間に接続されている。すなわち、共通のアースライン４０に接続されている。したがって、上記既設保安器モジュール３０へ取付けられた状態では、各半導体防護素子１６は、対応する既設の半導体防護素子３６と並列接続された状態となっている。
【００２７】
ここで、半導体防護素子１６は、更新された交換機の電気的特性に応じて、例えば従前の交換機に比し高電圧や大電流に対して脆弱な半導体集積回路が組み込まれた交換機に変更されたような場合には、ブレークオーバー電圧が既設の半導体防護素子３６のそれと同一で、ホールド電流が既設の半導体防護素子３６のそれよりも小さい特性のものを用いる。
【００２８】
これにより、半導体防護素子１６の動作感度が高くなり、そのクランプ電圧を既設の半導体防護素子３６のそれよりも低く抑えることができるので、この半導体防護素子１６により、更新された交換機を雷サージ電圧などの過電圧、過電流から確実に保護することができる。
【００２９】
なお、半導体防護素子３６及び半導体防護素子１６の具体的な電気的特性は、例えば、半導体防護素子３６が、ブレークオーバー電圧：１３０〜１６５（Ｖ）、ホールド電流：２９０（ｍＡ）、クランプ電圧：２３０（Ｖ）のとき、半導体防護素子１６は、ブレークオーバー電圧：１３０〜１６５（Ｖ）、ホールド電流：１６０（ｍＡ）、クランプ電圧：１９５（Ｖ）とする。
【００３０】
図から理解されるように、保安器モジュールアダプタ１０の取付け後は、保安器モジュール３０と交換機との接続は、保安器モジュールアダプタ１０を介して行われ、すなわち、保安器モジュールアダプタ１０の交換機側取付け部２０の雄コネクタ２０ａが交換機との接続部となっている。
【００３１】
以上のような、本考案に係る保安器モジュールアダプタ１０の取付け作業は、押し動作、すなわち端子間の嵌合動作のみによって終了する。したがって、更新された交換機に対応する新たな保安器モジュールに取り替える作業やそのまま転用する場合のジャンパ線などのケーブル類の撤去、架枠からの保安器モジュールの取り外しなどの煩わしい作業を行う必要はない。また、既設保安器モジュール３０の半導体防護素子３６を交換する場合には、電話交換局内での作業は無理であることから、一旦、工場へ輸送することとなり梱包作業なども必要となるが、本考案によれば、このような管理面の煩雑さも生じることがない。
【００３２】
図３は、図１に示した保安器モジュールアダプタ１０が既存保安器モジュール３０に実装された状態の斜視図であり、ケーシング５０内に既存保安器モジュール３０が複数積層された状態で固定されており（本実施の形態では１６個）、保安器モジュールアダプタ１０は、それぞれ既設保安器モジュール１０の交換機への出回線接続端子に取付け接続されている。
【００３３】
【考案の効果】
本考案によれば、更改された交換機を導入する際に、既設保安器モジュールを取り替えたり修正したりする複数工程の煩雑な作業を行うことなく、本考案に係る保安器モジュールアダプタを簡単な動作によって取付けるだけで交換機の電気的特性に合わせた適切な半導体防護素子の設置がなされ、過電圧、過電流からの交換機の保護が維持される。
【図面の簡単な説明】
【図１】本考案の実施に形態に係る保安器モジュールアダプタの実装図であり、（ａ）は正面図、（ｂ）は右側面図、（ｃ〉は左側面図、（ｄ〉は平面図、（ｅ）は底面図、（ｆ）は正面からの断面図、（ｇ）は右側面からの断面図である。
【図２】本考案の実施に形態に係る保安器モジュールアダプタを既設保安器モジュールに取付けた状態の回路図である。
【図３】保安器モジュールアダプタを既存保安器モジュールに搭載した状態を示す斜視図である。
【符号の説明】
１０　保安器モジュールアダプタ
１４　プリント配線板
１６　半導体防護素子（付加防護素子）
１８　保安器側取付け部
２０　交換機側取付け部
３０　既存保安器モジュール
３６　半導体防護素子
【図１】
0003099584.tif 000003
【図２】
0003099584.tif 000004
【図３】
0003099584.tif 000005